(57)【要約】【課題】ノズル面に付着した増粘インクをノズルに押し込むことなく除去し、ノズルから真っ直ぐインクを吐出させることが可能なプリンタ装置を提供する。【解決手段】インクジェットプリンタは、印刷媒体を支持するバキュームテーブル１２ａと、下方に向けてインクを吐出するノズルを下面に備えたプリンタヘッド６３と、プリンタヘッド６３の下面に近接してノズルを覆いノズル内に残留するインクを吸引する吸引ユニット８０と、プリンタヘッド６３の下面と当接してプリンタヘッド６３の下面をワイピングするワイピングユニット９０と、これらの構成部材の作動を制御するコントローラとを有して構成される。コントローラは、ノズル内に残留したインクを吸引させた後、プリンタヘッド６３の下面に近接した吸引ユニット８０に対してノズルからインクを吐出させて、プリンタヘッド６３の下面をワイピングする。【選択図】図１
2010042592.tif 000002
【特許請求の範囲】
【請求項１】
印刷媒体を支持する媒体支持手段と、
前記媒体支持手段の上方を往復移動自在に設けられて、下方に向けてインクを吐出するノズルを下面に備えたプリンタヘッドと、
往復移動方向における端部位置近傍に位置した前記プリンタヘッドと上下に対向する位置に設けられるとともに、負圧を発生させる負圧発生手段を備えて構成され、前記下面と近接して前記ノズルを覆った状態で前記負圧発生手段による負圧を前記ノズルに作用させて、前記ノズル内に残留するインクを吸引する吸引メンテナンス手段と、
前記吸引メンテナンス手段の側方に位置して設けられて、前記プリンタヘッドの下面と当接して前記プリンタヘッドの下面をワイピングするワイピング手段と、
前記吸引メンテナンス手段により前記ノズルを覆って前記ノズル内に残留するインクを吸引させた前記プリンタヘッドを、往復移動方向に移動させながら前記下面を前記ワイピング手段と当接させて前記下面をワイピングする作動制御手段とを有したプリンタ装置において、
前記作動制御手段は、
前記ノズル内に残留するインクを吸引させた後に、前記負圧発生手段による負圧発生を停止させ、且つ前記ノズルから吐出されて付着したインクが前記下面と近接する前記吸引メンテナンス手段に対して前記ノズルからインクを吐出させて、前記下面をワイピングすることを特徴とするプリンタ装置。
【請求項２】
前記作動制御手段は、
前記下面を前記ワイピング手段と当接させてワイピングするとき、前記ノズルからインクを吐出させることを特徴とする請求項１に記載のプリンタ装置。
【請求項３】
前記プリンタ装置による印刷を終了するとき、
前記作動制御手段は、
前記吸引メンテナンス手段により前記ノズルを覆い、前記ノズル内に残留するインクを吸引させることを特徴とする請求項１または２に記載のプリンタ装置。
【請求項４】
印刷媒体の上方を往復移動しながら前記印刷媒体に対して相対移動し、下面に形成されたノズルから前記印刷媒体にインクを吐出して印刷を行うプリンタヘッドを有したプリンタ装置における前記プリンタヘッドのメンテナンス方法であって、
負圧を発生させる負圧発生手段を稼動させて前記ノズル内に残留するインクを吸引する吸引メンテナンス手段が、前記下面と近接して前記ノズルを覆った状態で前記ノズル内に残留するインクを吸引する第１のステップと、
前記負圧発生手段による負圧発生を停止させ、且つ前記ノズルから吐出されて付着したインクが前記下面と近接する前記吸引メンテナンス手段に対して前記ノズルからインクを吐出させる第２のステップと、
前記吸引メンテナンス手段の側方に位置して設けられたワイピング手段を、前記下面と当接させた状態で前記プリンタヘッドを往復移動方向に移動させて、前記下面をワイピングする第３のステップとを備えたことを特徴とするプリンタヘッドのメンテナンス方法。
【発明の詳細な説明】
【技術分野】
【０００１】
本発明は、プリンタヘッドに形成されたノズルからインクを吐出させて印刷媒体に所望の印刷を施すプリンタ装置、およびそのプリンタヘッドのメンテナンス方法に関する。
【背景技術】
【０００２】
従来、印刷媒体に対してプリンタヘッドを相対移動させながら、プリンタヘッドの下面に形成されたノズルからインクを吐出させて、印刷媒体に所望のパターンで付着させることにより印刷を施すプリンタ装置（インクジェットプリンタ）が知られている。上記プリンタ装置には、例えば紫外光が照射されて硬化するＵＶ硬化型インク（以下において、ＵＶインクと称す）をノズルから吐出させるとともに、ＵＶインクが付着された印刷媒体に紫外光を照射して硬化させて印刷を施す構成のものもある。このＵＶインクを用いて印刷を行うプリンタ装置として、例えばプリンタヘッドおよび紫外光を発射する紫外光源を同一のキャリッジに搭載し、印刷媒体に対して相対移動させる構成が知られている。
【０００３】
上記プリンタ装置においては、その構成上、紫外光源から発射された紫外光が印刷媒体の表面で反射されて、プリンタヘッドの下面（ノズル面）に照射されることがあり、その場合、ノズル部分のＵＶインクの粘度が上がって例えばゲル状に硬化し（以下において、増粘インクと称す）、ノズルから真っ直ぐＵＶインクを吐出させることが困難となる。さらには、増粘インクがノズルを塞ぐように付着することもあり、この場合には、ノズルからＵＶインクを吐出させることができなくなる虞もある。特に、紫外光源と印刷媒体との上下間隔を大きく設定した場合には、反射した紫外光がノズル面に照射されやすくなり、上記問題が発生しやすい。
【０００４】
仮に、ノズルから真っ直ぐインクを吐出できない状態で印刷を行うと、印刷品質の低下に繋がるため、例えばノズルに付着した増粘インクを、ノズル内部の残留インクとともに強制的に吸引するキャップ部材を設ける構成が、広く知られている（例えば、特許文献１参照）。また、長時間にわたって連続して印刷を行うことで、ノズル面にインク滴や増粘インク等が付着することがあり、このままの状態で印刷を行うと、例えば印刷中にインク滴が印刷媒体に滴下して印刷品質の低下に繋がる虞がある。そのため従来、ノズル面における余計なインク滴等を除去した状態で印刷を行いたいとの要求があり、この要求に対して、上記特許文献１には例えば印刷を行う直前に、ゴム等で形成されたワイパー部材をノズル面に当接させてワイピングを行い、ノズル面に付着したインク滴や増粘インク等を除去する方法が開示されている。
【特許文献１】特開２００５−７４７６７号公報
【発明の開示】
【発明が解決しようとする課題】
【０００５】
図９（ａ）〜（ｃ）に、上述のワイパー部材を用いて、ノズル面に付着した増粘インクを除去する過程を模式的に示す。図9は、ワイパー部材５００をノズル面６２０に当接させた状態で、プリンタヘッド６００を紙面左方に移動させて、ノズル面６２０に付着した増粘インク７００をワイピングして除去する従来の方法を示している。図９（ａ）から（ｂ）、さらに図９（ｂ）から（ｃ）に示す状態へと、プリンタヘッド６００を左方へ移動させて増粘インク７００を除去しようとしたとき、ノズル面６２０に対する増粘インク７００の付着力が比較的大きいと、ノズル面６２０から除去されずワイパー部材５００によってそのままノズル６１０に押し込まれてしまう場合がある。そうすると、ノズルから真っ直ぐインクを吐出させることが困難になって、印刷品質の低下を招く虞があった。
【０００６】
本発明はこのような問題に鑑みてなされたものであり、ノズル面に付着した増粘インクをノズルに押し込むことなく除去し、ノズルから真っ直ぐインクを吐出させることが可能なプリンタ装置を提供することを目的とする。また、このプリンタ装置を用いて、ノズル面に付着した増粘インクをノズルに押し込むことなく除去するプリンタヘッドのメンテナンス方法を提供することを目的とする。
【課題を解決するための手段】
【０００７】
上記目的達成のため、本発明に係るプリンタ装置は、印刷媒体を支持する媒体支持手段（例えば、実施形態におけるバキュームテーブル１２ａ）と、前記媒体支持手段の上方を往復移動自在に設けられて、下方に向けてインクを吐出するノズルを下面に備えたプリンタヘッドと、往復移動方向における端部位置近傍に位置した前記プリンタヘッドと上下に対向する位置に設けられるとともに、負圧を発生させる負圧発生手段（例えば、実施形態における吸引ポンプ８８）を備えて構成され、前記下面と近接して前記ノズルを覆った状態で前記負圧発生手段による負圧を前記ノズルに作用させて、前記ノズル内に残留するインクを吸引する吸引メンテナンス手段（例えば、実施形態における吸引ユニット８０）と、前記吸引メンテナンス手段の側方に位置して設けられて、前記プリンタヘッドの下面と当接して前記プリンタヘッドの下面をワイピングするワイピング手段（例えば、実施形態におけるワイピングユニット９０）と、前記吸引メンテナンス手段により前記ノズルを覆って前記ノズル内に残留するインクを吸引させた前記プリンタヘッドを、往復移動方向に移動させながら前記下面を前記ワイピング手段と当接させて前記下面をワイピングする作動制御手段（例えば、実施形態におけるコントローラ２３）とを有して構成される。前記作動制御手段は、前記ノズル内に残留するインクを吸引させた後に、前記負圧発生手段による負圧発生を停止させ、且つ前記ノズルから吐出されて付着したインクが前記下面と近接する前記吸引メンテナンス手段に対して前記ノズルからインクを吐出させて、前記下面をワイピングする。
【０００８】
また、上記プリンタ装置において、前記作動制御手段は、前記下面を前記ワイピング手段と当接させてワイピングするとき、前記ノズルからインクを吐出させることが好ましい。
【０００９】
さらに、上記プリンタ装置において、前記プリンタ装置による印刷を終了するとき、前記作動制御手段は、前記吸引メンテナンス手段により前記ノズルを覆い、前記ノズル内に残留するインクを吸引させることが好ましい。
【００１０】
上記目的達成のため、本発明に係るプリンタヘッドのメンテナンス方法は、印刷媒体の上方を往復移動しながら前記印刷媒体に対して相対移動し、下面に形成されたノズルから前記印刷媒体にインクを吐出して印刷を行うプリンタヘッドを有したプリンタ装置における前記プリンタヘッドのメンテナンス方法であって、負圧を発生させる負圧発生手段を稼動させて前記ノズル内に残留するインクを吸引する吸引メンテナンス手段が、前記下面と近接して前記ノズルを覆った状態で前記ノズル内に残留するインクを吸引する第１のステップと、前記負圧発生手段による負圧発生を停止させ、且つ前記ノズルから吐出されて付着したインクが前記下面と近接する前記吸引メンテナンス手段に対して前記ノズルからインクを吐出させる第２のステップと、前記吸引メンテナンス手段の側方に位置して設けられたワイピング手段を、前記下面と当接させた状態で前記プリンタヘッドを往復移動方向に移動させて、前記下面をワイピングする第３のステップとを備える。
【発明の効果】
【００１１】
本発明に係るプリンタ装置は、吸引メンテナンス手段がノズルに近接して覆った状態で、ノズルからインクを吐出させて吸引メンテナンス手段に付着させ、その後にプリンタヘッドの下面をワイピング手段と当接させて、ワイピングするように構成されている。そのため、例えばプリンタヘッドの下面に増粘インクが付着している場合、上述の吸引メンテナンス手段に付着されたインクが、増粘インクと接触するとともに増粘インクの周囲を覆うように付着し、プリンタヘッドの下面に対する増粘インクの付着力を弱めることが可能である。よって、このように増粘インクの付着力を弱めた状態で、ワイピング手段を当接させてワイピングすることにより、増粘インクをノズルに押し込むことなく剥がして除去でき、ノズルから真っ直ぐインクを吐出させることが可能となる。
【００１２】
また、作動制御手段は、ワイピング手段によりワイピングするときに、ノズルからインクを吐出させるように制御する構成が好ましい。このように構成した場合、ノズルから下方に向けてインクが吐出されているため、ワイピング時にノズル内へ増粘インク等が押し込まれることを、確実に防止できる。
【００１３】
なお、プリンタ装置による印刷を終了するとき、作動制御手段は、吸引メンテナンス手段によりノズル内に残留するインクを吸引させる構成が好ましい。このように構成すると、印刷を終了するときに、例えばノズル内のインクと共に増粘インクを吸引させることで、ノズル内に増粘インクが存在しない状態として、プリンタ装置の稼動を停止させることができる。そのため、例えばプリンタ装置による印刷が行われていない間に、ノズル内のインクが増粘インクの影響により徐々に硬化していくことを抑制できる。よって、次回プリンタ装置による印刷を開始するときに、ノズル内に増粘インクが混在しておらず、ノズルから真っ直ぐインクを吐出させることが可能となる。
【００１４】
本発明に係るプリンタヘッドのメンテナンス方法は、ノズル内に残留するインクを吸引する第１のステップと、プリンタヘッドの下面をワイピングする第３のステップとの間に、吸引メンテナンス手段によりノズルを覆った状態でノズルからインクを吐出させて、そのインクを、吸引メンテナンス手段におけるプリンタヘッドの下面と近接する位置に付着させる第２のステップを備えている。そのため、例えばプリンタヘッドの下面に、比較的大きな付着力で増粘インクが付着しているような場合においても、上記プリンタヘッドの下面と近接したインクが、増粘インクに伝わってその周囲を覆うことができ、そのため、プリンタヘッドの下面に対する増粘インクの付着力を弱めることが可能である。このような状態にした直後に、ワイピング手段を当接させてワイピングを行うことで、上記増粘インクをプリンタヘッドの下面から確実に剥がして除去することができる。
【発明を実施するための最良の形態】
【００１５】
以下、図１から図８を参照しながら、本発明の好ましい実施形態について説明する。なお、説明の便宜上、各図面に示す矢印方向をそれぞれ前後、左右および上下と称して説明する。図２に、本発明を適用したインクジェットプリンタの一例として、テーブル上に固定保持された印刷媒体に対してプリンタヘッドを水平面内の直交二軸（Ｘ軸−Ｙ軸）方向に移動させながら、所望の印刷を行うインクジェットプリンタ１を斜め前方から見た斜視図を示す。また図１には、インクジェットプリンタ１を構成している後述の印刷ユニット６０近傍の斜視図を、図３には、後述するプリンタヘッド６３の下面にキャップ８５が当接した状態を、それぞれ示している。さらに図４には、インクジェットプリンタ１の制御系統図を示している。
【００１６】
インクジェットプリンタ１は、図２に示すように、下部において土台部分を構成する支持部１０、および支持部１０の上方に移動自在に配設された印刷部５０を主体に構成される。支持部１０は、本体フレーム１１、支持テーブル１２、真空ブロア１３およびコントロールユニット２０を主体に構成される。本体フレーム１１は、その上方に固定された支持テーブル１２を水平に支持し、支持テーブル１２の中央部分には、平板状の印刷媒体２を載置して固定保持するバキュームテーブル１２ａが形成されている。バキュームテーブル１２ａの表面には、上下に貫通する微細な空気孔が多数形成されており、この空気孔はバキュームテーブル１２ａの下面側に設けられた減圧室（図示せず）と連通している。支持テーブル１２の左右端面には前後に延びるガイド溝１２ｂ，１２ｂが形成されており、後述する印刷部５０の左右に形成された前後ガイド５１ａ，５１ａと嵌合している。
【００１７】
真空ブロア１３は、支持テーブル１２の下方に設置されており、上記減圧室内の空気を排気して負圧に設定したり、または減圧室に空気を送り込んで空気孔から吐出させることができるようになっている。印刷媒体２をバキュームテーブル１２ａ上に載置して、真空ブロア１３により減圧室が負圧に設定されることで、印刷媒体２がバキュームテーブル１２ａ表面に真空吸着されて固定保持される。一方、印刷媒体２に対する印刷が終了して、バキュームテーブル１２ａから印刷媒体２を取り除く際には、減圧室に空気を送り込んで空気孔から吐出させることで、印刷媒体２を浮かせて簡単に取り除くことができる。
【００１８】
コントロールユニット２０は、支持テーブル１２の前端部に設けられており、操作パネル２１、インクジェットプリンタ１の稼動を停止させる停止ボタン２２、およびコントローラ２３を主体に構成される。コントローラ２３は、コントロールユニット２０の内部に構成されて、後述するインクジェットプリンタ１の各構成部材と接続されている（図４参照）。また、コントローラ２３は、操作パネル２１からの操作信号が入力され、その操作信号に応じた作動信号を上記各構成部材に対して出力して、作動を制御するようになっている。
【００１９】
印刷部５０は、図１および図２に示すように、基部５１、印刷ユニット６０、吸引ユニット８０およびワイピングユニット９０を主体に構成される。基部５１は、その左右端部近傍に形成された前後ガイド５１ａ，５１ａが、上述のガイド溝１２ｂ，１２ｂと嵌合しており、支持テーブル１２の上方を跨いで前後にスライド移動自在に支持される。基部５１の前面には、左右に延びたガイドレール５２が形成されており、このガイドレール５２に対して印刷ユニット６０が左右へスライド移動自在に取り付けられている。基部５１の左端部近傍には、吸引ユニット８０およびワイピングユニット９０が設けられている。なお、支持テーブル１２に対して基部５１を前後にスライド移動させる前後駆動機構（図示せず）、および基部５１に対して印刷ユニット６０を左右にスライド移動させる左右駆動機構（図示せず）は、種々の周知技術を用いることが可能であり、ここではその説明を省略する。
【００２０】
印刷ユニット６０は、図１および図２に示すように、キャリッジ６２、プリンタヘッド６３、右ＵＶＬＥＤユニット６４Ｒ、左ＵＶＬＥＤユニット６４Ｌを主体に構成され、外周部がカバー６１によって覆われている。ここでは、プリンタヘッド６３からＵＶインクを吐出して印刷媒体２に付着させた後、右ＵＶＬＥＤユニット６４Ｒおよび左ＵＶＬＥＤユニット６４Ｌから発射された紫外線を照射して硬化させる構成を例示して説明する。プリンタヘッド６３は、例えばマゼンタ、イエロー、シアンおよびブラックの色毎に構成されており、プリンタヘッド６３の下面には、ＵＶインクを下方に向けて吐出する複数のノズル６３ａが形成されている（図３参照）。また、このプリンタヘッド６３の下面にインク滴が付着しやすいと、例えば印刷中に印刷媒体２に滴下する等の不具合を生じやすくなるので、プリンタヘッド６３の下面は、例えば撥インク性を有した素材を用いて形成されている。基部５１の左端部上面には、例えば上記４色に対応したＵＶインクを貯えたカートリッジ５３が設置され（図２参照）、色毎にカートリッジ５３とプリンタヘッド６３とが管路（図示せず）を介して接続されており、ＵＶインクの消費に応じて適宜カートリッジ５３からプリンタヘッド６３にＵＶインクが送られるようになっている。
【００２１】
右ＵＶＬＥＤユニット６４Ｒおよび左ＵＶＬＥＤユニット６４Ｌは、それぞれ内部に紫外光を発射可能な光源（例えばＵＶＬＥＤ、図示せず）が配設されており、下方に向けて紫外光を照射可能な構成となっている。キャリッジ６２は、プリンタヘッド６３、右ＵＶＬＥＤユニット６４Ｒおよび左ＵＶＬＥＤユニット６４Ｌの取付ベースとなっており、また、キャリッジ６２の後面側には、ガイドレール５２と嵌合可能な左右ガイド（図示せず）が形成されている。
【００２２】
吸引ユニット８０は、図１および図３に示すように、基部５１に設けられてガイドレール５２の下方に位置しており、ベースプレート８１、ユニット本体部８２、キャップ駆動機構８３、キャップ８５、インク排出管８７および吸引ポンプ８８を主体に構成される。キャップ８５は、キャリッジ６２に搭載されたプリンタヘッド６３の個数および形状に応じて形成され、例えば弾性変形可能な樹脂材料を用いて、上面が開口した略箱状に形成されている。キャップ８５がプリンタヘッド６３の下面と当接することで、ノズル６３ａがキャップ８５によって覆われるように構成されている。このようにノズル６３ａが覆われた状態においては、プリンタヘッド６３の下面とキャップ８５の底面とが、略近接するようになっている。
【００２３】
このキャップ８５が取り付けられたベースプレート８１は、ユニット本体部８２の内部に構成されたキャップ駆動機構８３により上下動されるようになっている。また、キャップ８５をプリンタヘッド６３の下面と当接させた状態で、吸引ポンプ８８を駆動させることで、キャップ８５内を負圧に設定してノズル６３ａ内のＵＶインクを吸引することができるようになっている。なお、吸引されたＵＶインクは、インク排出管８７を流下して廃インクタンク８９に貯留されて回収される。
【００２４】
ワイピングユニット９０は、ワイパー部材９１、ユニット本体部９２およびワイパー駆動機構９３を主体に構成され、基部５１に設けられて上記吸引ユニット８０の右方に位置している。ワイパー部材９１は、例えば弾性変形可能な樹脂材料を用いて板状に形成され、前後に延びるように配置されおり、ワイパー部材９１の前後長さが、例えばプリンタヘッド６３の前後長さよりも長くなるように形成されている。上記ワイパー部材９１は、ユニット本体部９２の内部に構成されたワイパー駆動機構９３により上下動されるようになっている。なお、上記キャップ駆動機構８３および上記ワイパー駆動機構９３は、種々の従来技術を用いて構成することが可能なので、ここではその説明を省略する。
【００２５】
以上、インクジェットプリンタ１の各構成部材について説明したが、以下において、吸引ユニット８０およびワイピングユニット９０によるプリンタヘッド６３のメンテナンス方法について説明する。
【００２６】
通常印刷時において、インクジェットプリンタ１は、バキュームテーブル１２ａに固定された印刷媒体２に対して、印刷ユニット６０をガイドレール５２に沿って左右に往復移動させながら、ノズル６３ａから下方に向けてＵＶインクを吐出させて、所望のパターンで印刷媒体２に付着させる。このとき、印刷媒体２に付着したＵＶインクが所望の硬化状態になるように、右ＵＶＬＥＤユニット６４Ｒおよび左ＵＶＬＥＤユニット６４Ｌから、紫外光が照射される。印刷媒体２上の所定前後幅に対する印刷が完了すると、印刷ユニット６０（基部５１）を前後にスライド移動させ、再び印刷ユニット６０を左右に往復移動させながら、ＵＶインクを吐出させるとともに紫外光を照射させる。このような作動を繰り返すことにより、印刷媒体２の印刷領域全体に所望の文字や図柄が印刷されるようになっている。
【００２７】
上述のようにして、長時間連続してノズル６３ａからＵＶインクを吐出させて印刷を行った場合、ノズル６３ａの開口部周辺およびにプリンタヘッド６３の下面に吐出されたＵＶインクが付着することがあり、また、付着したＵＶインク同士が合体してインク滴が形成されることがある。さらにこのインク滴は、右ＵＶＬＥＤユニット６４Ｒおよび左ＵＶＬＥＤユニット６４Ｌから照射されて、印刷媒体２の表面において反射された紫外光によって徐々に硬化され、例えばゲル状の増粘インクとなってプリンタヘッド６３の下面に付着する場合もある。このように、プリンタヘッド６３の下面に、増粘インクやインク滴等が付着した状態のままで継続して印刷を行うと、インク滴が印刷媒体２に滴下して印刷品質を低下させてしまう虞がある。よって、印刷品質を確保するためには、プリンタヘッド６３の下面を清潔に保つことが重要である。そこで、プリンタヘッド６３の下面をメンテナンスして清潔に保つために、吸引ユニット８０およびワイピングユニット９０が用いられる。
【００２８】
以下において、これら吸引ユニット８０およびワイピングユニット９０による、プリンタヘッド６３の下面のメンテナンスについて、図５および図６を参照しながら図８に示すフローチャートに沿って説明する。
【００２９】
上記メンテナンスは、例えばオペレータが、プリンタヘッド６３の下面のメンテナンスが必要であると判断して操作パネル２１を操作した場合、または、コントローラ２３が、前回のメンテナンスからの稼動時間（印刷時間）が所定稼動時間に達したと判断した場合に開始される。まず、図８に示すステップ１において、上述のようにしてメンテナンスが開始されると、コントローラ２３からの作動信号に基づいて、左右駆動機構により印刷ユニット６０（プリンタヘッド６３）が、吸引ユニット８０の上方の吸引メンテナンス位置に移動されて、ノズル６３ａとキャップ８５の開口部とが上下に対向した状態となる。このとき、例えばプリンタヘッド６３の下面に、比較的粘度の高い増粘インク５および比較的粘度の低い増粘インク６が付着しているものとする（図５（ａ）参照）。
【００３０】
続いてステップ２に進み、キャップ駆動機構８３を駆動させることにより、ベースプレート８１（キャップ８５）を上動させて、プリンタヘッド６３の下面にキャップ８５を当接させて、ノズル６３ａを覆ってキャッピングする（図３参照）。このとき、上述のようにプリンタヘッド６３の下面とキャップ８５の底面とは近接しており、また、増粘インク５はキャップ８５の底面と接しているものとする（図５（ｂ）参照）。
【００３１】
ステップ３に進み、上記ノズル６３ａが覆われた状態で吸引ポンプ８８を駆動させて、ノズル６３ａ内に残留したＵＶインクを吸引し、この吸引されたＵＶインクがインク排出管８７を介して廃インクタンク８９に流下して回収される。このとき、例えばノズル６３ａの開口部近傍に付着していた増粘インク６は、プリンタヘッド６３の下面に対する付着力が比較的小さいために、プリンタヘッド６３の下面から剥がされて、ノズル６３ａから吸引されるＵＶインクと共にインク排出管８７へと導かれる（図５（ｂ）参照）。
【００３２】
また、例えばノズル６３ａ内に少し硬化したようなＵＶインク（増粘インク）が混在しているような場合、ノズル６３ａ内に残留したＵＶインクを吸引することにより、増粘インクが混在していない均一なＵＶインクで満たすことができる。一方、増粘インク５は、プリンタヘッド６３の下面に対する付着力が比較的大きいために、吸引ポンプ８８が駆動されても剥がされず、付着したままの状態となっている場合がある。
【００３３】
続いてステップ４に進み、キャップ８５によりノズル６３ａを覆い且つ吸引ポンプ８８の駆動を停止させた状態で、ノズル６３ａから微量のＵＶインク７を下方に吐出（フラッシング）させる。そうすることにより、吐出されたＵＶインク７がキャップ８５の底面に付着するとともに、このキャップ８５の底面に付着したＵＶインク７が、キャップ８５の底面と接する増粘インク５に伝わり、増粘インク５の周囲を覆うように付着する。このとき、増粘インク５はＵＶインク７に濡れやすい（親和性が良い）一方で、プリンタヘッド６３の下面は撥インク性を有した素材で形成されているため、ＵＶインク７は増粘インク５の周囲に付着するが、プリンタヘッド６３の下面にはほとんど付着しない（図５（ｃ）参照）。
【００３４】
ステップ５に進み、上記のように増粘インク５の周囲にＵＶインク７が付着した状態で、キャップ駆動機構８３を駆動させることでベースプレート８１（キャップ８５）を下動させて、プリンタヘッド６３の下面に対するキャップ８５の当接を解除し、印刷ユニット６０（プリンタヘッド６３）を左右に移動可能な状態にする。そして、印刷ユニット６０が、ガイドレール５２に沿って右方へスライド移動されるとともにワイパー駆動機構９３が駆動されて、ワイパー部材９１がプリンタヘッド６３の下面と当接可能な位置に上動される。上動されたワイパー部材９１が、プリンタヘッド６３の下面と当接した状態でプリンタヘッド６３が右方へスライド移動されることにより、プリンタヘッド６３の下面がワイピングされる（図６（ａ）参照）。このとき、プリンタヘッド６３の下面に付着している増粘インク５は、その周囲にＵＶインク７が付着されることで、プリンタヘッド６３の下面に対する付着力が弱められて、剥がれ易くなっている。
【００３５】
そのため、図６（ａ）から（ｂ）、さらに図６（ｂ）から（ｃ）に示す状態へと、プリンタヘッド６３を右方へスライド移動させることにより、増粘インク５はノズル６３ａに押し込まれることなく、ワイパー部材９１でワイピングされてプリンタヘッド６３の下面から剥がされて除去される。よって、ワイピングされた後、ノズル６３ａの内部およびプリンタヘッド６３の下面に、インク滴や増粘インク等が付着していない清潔な状態とすることができ、ノズル６３ａから真っ直ぐＵＶインクを吐出させて印刷を行うことが可能となり、高品質な印刷が可能となる。
【００３６】
ところで、増粘インク５の周囲に付着したＵＶインク７は、空気と接触して乾燥することで粘度が増して、増粘インク５のプリンタヘッド６３の下面に対する付着力を強めることになり得る。本発明を適用したインクジェットプリンタ１においては、プリンタヘッド６３の下面に対するキャップ８５の当接を解除する直前に、ＵＶインク７を増粘インク５の周囲に付着させて、キャップ８５の当接を解除した直後にワイパー部材９１でワイピングする構成となっている。そのため、増粘インク５の周囲に付着したＵＶインク７を、極力乾燥させることなく、増粘インク５のプリンタヘッド６３の下面に対する付着力を弱めた状態でワイピングできるので、増粘インク５を確実にプリンタヘッド６３の下面から剥がして除去できる。さらに、キャップ８５によりノズル６３ａを覆った状態で、増粘インク５の周囲にＵＶインク７を付着させるので、より一層ＵＶインク７の乾燥を防止することができる。
【００３７】
なお、上記ワイピング時において、ノズル６３ａからＵＶインクを吐出させながら、ワイピングを実行するように作動制御を行っても良い。こうすることにより、ワイピング時にノズル６３ａから下方に向けてＵＶインクが吐出されているので、プリンタヘッド６３の下面に付着した増粘インク５が、ノズル６３ａに押し込まれることをより確実に防止できるようになる。
【００３８】
ところで一般的に、予定されたインクジェットプリンタ１による印刷が終了すると、ノズル６３ａ内にＵＶインクが残留したままの状態で、インクジェットプリンタ１のメイン電源（図示せず）がオフ操作される。ＵＶインクの種類によっては、例えば一部分のＵＶインクが紫外光の照射を受けて硬化が開始されると、その周囲のＵＶインクが影響を受けて硬化が開始される（促進される）性質を有したものもある。このような性質のＵＶインクを用いて印刷を行った場合、ノズル内に残留したＵＶインクが、メイン電源がオフ操作されている間に徐々に硬化されて、次回メイン電源をオン操作した際に、ノズル６３ａからＵＶインクの吐出が困難になる虞がある。
【００３９】
そのため、本発明を適用したインクジェットプリンタ１においては、メイン電源がオフ操作されたとき、ノズル６３ａ内のＵＶインクを新たなＵＶインク（フレッシュインク）に置き換える置換作動を行った後に電源が切れるように構成されており、以下に、その置換作動について図７を参照しながら説明する。
【００４０】
例えば予定された印刷が終了したとき、インクジェットプリンタ１のメイン電源がオペレータによりオフ操作される。このとき、直ちにインクジェットプリンタ１の電源を切って各構成部材の作動を停止させるのではなく、コントローラ２３からの作動信号に基づいて、左右駆動機構により印刷ユニット６０が上記吸引メンテナンス位置に移動され、ノズル６３ａとキャップ８５の開口部とを対向させた後、プリンタヘッド６３の下面にキャップ８５を当接させて、ノズル６３ａをキャッピングする（図７（ａ）参照）。このとき、図７（ａ）に示すように、例えばノズル６３ａ内には、少し硬化された微硬化インク８が混在しているとする。
【００４１】
上記の状態で、吸引ポンプ８８を駆動させることにより、ノズル６３ａ内に残留したＵＶインクと共に微硬化インク８が吸引されて、廃インクタンク８９で回収される（図３参照）。このＵＶインクの吸引作動を行った後、ノズル６３ａからＵＶインクを吐出させることにより、例えば、上記吸引作動では吸引されないノズル６３ａの内壁に張り付いたような微硬化インク８を、ノズル６３ａから確実に排出させることができる。そうすることにより、ノズル６３ａ内を、硬化された増粘インクが混在しないフレッシュインクで満たされた状態にすることができる（図７（ｂ）参照）。よって、メイン電源がオフ操作されている間における、ノズル６３ａ内のＵＶインクの硬化を抑制することが可能となり、次回メイン電源をオン操作した際に、ノズル６３ａから正常にＵＶインクを吐出できるようになる。なお、メイン電源がオフ操作されている間、プリンタヘッド６３の下面にキャップ８５を当接させておくことにより、ノズル６３ａ内のＵＶインクが硬化（乾燥）したり、プリンタヘッド６３の下面に埃等が付着することを防止できる。
【００４２】
上述の実施形態では、本発明を適用したインクジェットプリンタの一例として、二軸プリンタヘッド移動タイプを、ＵＶ硬化型インクジェットプリンタに適用した構成例について説明した。しかし、本発明は他の形態のインクジェットプリンタ、例えば一軸印刷媒体移動、一軸プリンタヘッド移動タイプのインクジェットプリンタにも適用することができ、また、使用するインクについても、染料系や顔料系など他の種類のインクを用いたインクジェットプリンタに適用することができる。
【図面の簡単な説明】
【００４３】
【図１】本発明に係るインクジェットプリンタの印刷ユニット近傍を示した斜視図である。
【図２】上記インクジェットプリンタを、斜め前方から見た状態を示した斜視図である。
【図３】プリンタヘッドの下面にキャップを当接させて、ノズルを覆った状態を示す断面図である。
【図４】上記インクジェットプリンタの制御系統図である。
【図５】プリンタヘッドおよびキャップの断面図であって、（ａ）はプリンタヘッドの下面に増粘インクが付着した状態を、（ｂ）はプリンタヘッドの下面にキャップが当接した状態を、（ｃ）は増粘インクの周囲にＵＶインクが付着した状態をそれぞれ示す。
【図６】プリンタヘッドおよびワイピングユニットの断面図であって、（ａ）から（ｃ）へと順に、増粘インクがワイピングされて除去される状態を示す。
【図７】プリンタヘッドおよびキャップの断面図であって、（ａ）はノズル内のＵＶインクが置換される前の状態を、（ｂ）はノズル内のＵＶインクが置換された後の状態をそれぞれ示す。
【図８】プリンタヘッドの下面をメンテナンスする際の手順を示したフローチャートである。
【図９】従来のプリンタヘッドの下面のメンテナンス方法を示したプリンタヘッドおよびワイピングユニットの断面図であって、（ａ）から（ｃ）へと順に、プリンタヘッドが移動される状態を示す。
【符号の説明】
【００４４】
１  インクジェットプリンタ（プリンタ装置）
２  印刷媒体
１２ａ  バキュームテーブル（媒体支持手段）
２３  コントローラ（作動制御手段）
６３  プリンタヘッド
６３ａ  ノズル
８０  吸引ユニット（吸引メンテナンス手段）
８８  吸引ポンプ（負圧発生手段）
９０  ワイピングユニット（ワイピング手段）
【図１】
2010042592.tif 000003
【図２】
2010042592.tif 000004
【図３】
2010042592.tif 000005
【図４】
2010042592.tif 000006
【図５】
2010042592.tif 000007
【図６】
2010042592.tif 000008
【図７】
2010042592.tif 000009
【図８】
2010042592.tif 000010
【図９】
2010042592.tif 000011